(57)【要約】【課題】  包装袋に収納される物品を簡易かつ低コストに作成できる保護枠により保護し、材料の使用量を低減し、使用後のゴミの量も低減すること。【解決手段】  包装袋１００に収納される物品１を保護する包装用保護枠１０であって、包装袋１００の表裏のシート１０１Ａ、１０１Ｂに挟まれるとともに、物品１を囲い込み可能にする環状の枠体１１からなり、包装袋１００の表裏のシート１０１Ａ、１０１Ｂに挟まれる枠体１１の高さｔ0が、該枠体１１に囲い込まれる物品１の厚みｔ1より大きく設定されてなるもの。【選択図】  図１
2013184715.tif 000002
【特許請求の範囲】
【請求項１】
包装袋に収納される物品を保護する包装用保護枠であって、
包装袋の表裏のシートに挟まれるとともに、物品を囲い込み可能にする環状の枠体からなり、
包装袋の表裏のシートに挟まれる枠体の高さが、該枠体に囲い込まれる物品の厚みより大きく設定されてなる包装用保護枠。
【請求項２】
前記枠体が、長尺材を環状に枠組してなり、長尺材の一端に設けた糊付片を該長尺材の他端の外面に接合してなる請求項１に記載の包装用保護枠。
【請求項３】
前記枠体が、複数の物品のそれぞれを囲い込み可能にする複数の区画を備えてなる請求項１又は２に記載の包装用保護枠。
【請求項４】
前記枠体が、包装袋の表裏のシートの少なくとも一方に接する端面に凹凸状係止部を備え、この係止部を包装袋の当該シートの内面に係止可能にしてなる請求項１〜３のいずれかに記載の包装用保護枠。
【請求項５】
前記枠体が矩形に形成され、当該枠体の角部において、当該角部から両周辺部に亘って長さ方向に延びる少なくとも１つの切込みが形成されている請求項１に記載の包装用保護枠。
【請求項６】
前記切込みは、当該枠体の角部において、当該角部から両周辺部に亘って長さ方向に延びる複数の切込みが形成されており、当該切込みよって高さ方向に分割されたそれぞれの角部は内方に向かって変位可能である請求項５に記載の包装用保護枠。
【発明の詳細な説明】
【技術分野】
【０００１】
本発明は封筒等の包装袋に収納される物品を保護するに好適な包装用保護枠に関する。
【背景技術】
【０００２】
従来、封筒内に収納されるＣＤ等の電子記録媒体、化粧剤用ビン等の物品を外力による破損から保護するクッション封筒として、特許文献１に記載の如く、封筒内に一杯にシート状クッション材を挿入してなるものがある。保護すべき物品はシート状クッション材に包まれて封筒に収納される。
【先行技術文献】
【特許文献】
【０００３】
【特許文献１】特開2004-244037
【発明の概要】
【発明が解決しようとする課題】
【０００４】
従来技術には以下の問題点がある。
(1)クッション封筒を構成するシート状クッション材は、必要なクッション性を確保するために、特殊な材料、特殊な構造から構成されており、高コストである。
【０００５】
(2)シート状クッション材は、封筒内に一杯に挿入される必要から材料の使用量が多いし、使用後のゴミとなる量も多い。
【０００６】
(3)シート状クッション材は、封筒内に物品を収容する際、物品の容積に応じて使用量を調整する必要がある。作業者のスキルによってクッション性が異なり、所期の保護性能を得られないことがある。
【０００７】
本発明の目的は、包装袋に収納される物品を簡易かつ低コストに作成できる保護枠により保護し、材料の使用量を低減し、使用後のゴミの量も低減することにある。
【０００８】
本発明の他の目的は、包装袋に収納される物品に作用する応力や衝撃を低減することにある。
【課題を解決するための手段】
【０００９】
請求項１に係る発明は、包装袋に収納される物品を保護する包装用保護枠であって、包装袋の表裏のシートに挟まれるとともに、物品を囲い込み可能にする環状の枠体からなり、包装袋の表裏のシートに挟まれる枠体の高さが、該枠体に囲い込まれる物品の厚みより大きく設定されてなるようにしたものである。
【００１０】
請求項２に係る発明は、請求項１に係る発明において更に、前記枠体が、長尺材を環状に枠組してなり、長尺材の一端に設けた糊付片を該長尺材の他端の外面に接合してなるようにしたものである。
【００１１】
請求項３に係る発明は、請求項１又は２に係る発明において更に、前記枠体が、複数の物品のそれぞれを囲い込み可能にする複数の区画を備えてなるようにしたものである。
【００１２】
請求項４に係る発明は、請求項１〜３のいずれかに係る発明において更に、前記枠体が、包装袋の表裏のシートの少なくとも一方に接する端面に凹凸状係止部を備え、この係止部を包装袋の当該シートの内面に係止可能にしてなるようにしたものである。
【００１３】
請求項５に係る発明は、請求項１に係る発明において更に、前記枠体が矩形に形成され、当該枠体の角部において、当該角部から両周辺部に亘って長さ方向に延びる少なくとも１つの切込みが形成されているようにしたものである。
【００１４】
請求項６に係る発明は、請求項５に係る発明において更に、前記切込みは、当該枠体の角部において、当該角部から両周辺部に亘って長さ方向に延びる複数の切込みが形成されており、当該切込みよって高さ方向に分割されたそれぞれの角部は内方に向かって変位可能である。
【発明の効果】
【００１５】
（請求項１）
(a)包装用保護枠が、包装袋の表裏のシートに挟まれるとともに、物品を囲い込み可能にする環状の枠体からなり、包装袋の表裏のシートに挟まれる枠体の高さが、該枠体に囲い込まれる物品の厚みより大きく設定されてなるものにした。これにより、保護枠の枠体が所定の高さの環状をなすことによってその座屈強度は高く、包装袋に収納される物品を下記i、iiの如くにより保護できる。
【００１６】
i.包装袋に収納されている物品に及ぼうとする外力が包装袋の表裏のシートを介して保護枠の枠体の高さ方向の端面に作用したとき、外力は物品の厚みより大きな高さの枠体の上記端面により受け止められ、物品に及ばない。
【００１７】
ii.包装袋に収納されている物品に及ぼうとする外力が包装袋の表裏のシートであって、保護枠の枠体が囲む物品囲い込み区画の直上のシートの概ね中央に作用したとき、シートの中央まわりの周辺部が枠体の全周に渡る端面に支えられて突っ張ることにて外力の衝撃が吸収され、大きな外力が物品に及ぶことを回避できる。
【００１８】
(b)保護枠の枠体は長尺材を環状に枠組することにより構成され、一定の座屈強度（枠体が外力により高さ方向にいくらか座屈することは、外力が物品に及ばない座屈量であったり、外力がその座屈によって吸収され得る点で許容される）があれば足り、特殊な材料、特殊な構造からなるものでないから、簡易かつ低コストである。
【００１９】
(c)保護枠の枠体を構成する長尺材の使用量は、枠体となって物品を囲い込みできる長さだけあれば足り、材料の使用量を低減し、使用後のゴミの量も低減できる。
【００２０】
（請求項２）
(d)保護枠の枠体を構成する長尺材の一端に設けた糊付片を該長尺材の他端の外面に接合するとき、枠体の内面に突起がなく、囲い込みした物品をキズつけることがない。
【００２１】
（請求項３）
(e)保護枠の枠体が、複数物品のそれぞれを囲い込み可能にする複数の区画を備えるとき、複数の物品の各個を同時に包装しながら、それらの各個を個別に保護できる。
【００２２】
（請求項４）
(f)保護枠の枠体が、包装袋の表裏のシートの少なくとも一方に接する端面に凹凸状係止部を備え、この係止部を包装袋の当該シートの内面に係止し得るものにした。これにより、包装袋の表裏のシートに対する保護枠の移動ずれを防止し、包装袋の表裏のシートの概ね中央に保護枠を位置付け、該保護枠により物品を安定的に保護できる。
【００２３】
（請求項５）
(g)保護枠の枠体が、枠体が矩形に形成され、当該枠体の角部において、当該角部から両周辺部に亘って長さ方向に延びる少なくとも１つの切込みが形成されているので、切込みを利用して角部を内方に押し込むことで枠体内部に突出部を設けることができる。切込みの長さを調整することで、突出部の突出長さを変えることができる。枠体に収納される物品に応じて切込みの長さを変え、突出部を物品の周縁に当接させるようにする。
【００２４】
これにより、突出部がない枠体に比べて物品の周縁との接点が増加し、突出部がない枠体に比べて物品の周縁との接点が増加するため、物品を固定することに好適である。また、突出部がない枠体に比べて物品の周縁との接点が増加し、物品の周縁に作用する応力を低減させることができる。
【００２５】
（請求項６）
(h)また、角部から両周辺部に亘って長さ方向に延びる複数の切込みが形成されているので、枠体に収納される物品に応じて切込みの長さを変え、突出部を物品の上面（又は下面）に当接させることにより、物品は突出部によって枠体の高さ方向変位することを抑制され、物品は運送中に衝撃を受けにくくなる。さらに、形成される切込みが複数であると、「突出部の高さ」、すなわち、「物品を収納する高さ方向のスペース」を自由に選定することができ、１種の枠体で厚みが異なる複数種の物品の変位を抑制することができる。
【図面の簡単な説明】
【００２６】
【図１】図１は包装袋と保護枠と物品を示す模式側面図である。
【図２】図２は保護枠を示す模式斜視図である。
【図３】図３は外貼り型の保護枠の作成手順を示し、（Ａ）は長尺材のスジ押し段階を示す模式端面図、（Ｂ）は長尺材の枠組過程を示す模式平面図、（Ｃ）は長尺材の枠組完了段階を示す模式平面図である。
【図４】図４は糊付片を内貼りした保護枠を示す模式平面図である。
【図５】図５は多角枠状の保護枠を示す模式斜視図である。
【図６】図６は円筒枠状の保護枠を示す模式斜視図である。
【図７】図７は保護枠の枠体の両端差込構造を示し、（Ａ）は枠体の模式斜視図、（Ｂ）は枠体の両端差し込みスリットを示す模式側面図である。
【図８】図８は複数の区画を備えた保護枠を示す模式平面図である。
【図９】図９は角部に切込みが形成された保護枠を示す模式斜視図である。
【図１０】図１０は突出部を内方に変位させた図９の保護枠を示す模式斜視図である。
【図１１】図１１は角部に複数の切込みが形成された他の保護枠を示す模式斜視図である。
【図１２】図１２は突出部を内方に変位させた図１１の保護枠を示す模式斜視図である。
【図１３】図１３は包装袋の他の例を示す模式側面図である。
【図１４】図１４は包装袋の波形シートを示す模式平面図である。
【図１５】図１５は保護枠の他の例を示す模式斜視図である。
【図１６】図１６は保護枠の緩衝効果を示し、（Ａ）は模式斜視図、（Ｂ）は模式正面図である。
【発明を実施するための形態】
【００２７】
（実施例１）（図１〜図３）
図１は、包装袋１００に収納されるＣＤ等の物品１を保護する包装用保護枠１０の使用例を示したものである。
【００２８】
包装袋１００は、一端開口他端閉塞状の封筒１０１からなるものとする。保護枠１０は、図２に示す如く、封筒１０１の表裏の紙又はプラスチック等からなるシート１０１Ａ、１０１Ｂに挟まれるとともに、物品１を囲い込み可能にする無端周回状の環状、本実施例１では１個の区画１１Ａを備えた紙又はプラスチック等からなる四角枠状の枠体１１からなる。封筒１０１の表裏のシート１０１Ａ、１０１Ｂに挟まれる枠体１１の高さｔ0を、枠体１１に囲い込まれる物品１の厚みｔ1より大きく設定している（ｔ0＞ｔ1）（図１）。
【００２９】
保護枠１０は、枠体１１の枠内の１個の区画１１Ａに、１個の物品１、又は２個以上の物品１をまとめて配置した物品囲い込み状態で、封筒１０１の一端開口からその内部の概ね中央に挿入され、当該枠体１１を表裏のシート１０１Ａ、１０１Ｂの間に挟み込み保持される。物品１と保護枠１０は、その後、封筒１０１の一端開口を封着されて包装袋１００に収納されるものになる。
【００３０】
保護枠１０の枠体１１は、高さｔ0、長さＬ（図３）の紙又はプラスチック等の長尺材２０を上述の如くの環状に枠組し、この長尺材２０の一端に設けた糊付片２１を該長尺材２０の他端の外面に接合することにより、外貼り型による無端周回状の枠体１１としたものである。Ａは接着剤を示す。このとき、長尺材２０は、長さ方向において、四角枠状の枠体１１の各一辺の間隔毎に、スジ押し具３０によるスジ押し部２２を付与され、それらのスジ押し部２２において折り曲げられて四角枠状の枠体１１を形成する。
【００３１】
本実施例の保護枠１０によれば以下の作用効果を奏する。
(a)包装用保護枠１０が、包装袋１００の表裏のシート１０１Ａ、１０１Ｂに挟まれるとともに、物品１を囲い込み可能にする環状の枠体１１からなり、包装袋１００の表裏のシート１０１Ａ、１０１Ｂに挟まれる枠体１１の高さｔ0が、該枠体１１に囲い込まれる物品１の厚みｔ1より大きく設定されてなるものにした。これにより、保護枠１０の枠体１１が所定の高さｔ0の環状をなすことによってその座屈強度は高く、包装袋１００に収納される物品１を下記i、iiの如くにより保護できる。
【００３２】
i.包装袋１００に収納されている物品１に及ぼうとする外力が包装袋１００の表裏のシート１０１Ａ、１０１Ｂを介して保護枠１０の枠体１１の高さ方向の端面に作用したとき、外力は物品１の厚みｔ1より大きな高さｔ0の枠体１１の上記端面により受け止められ、物品１に及ばない。
【００３３】
ii.包装袋１００に収納されている物品１に及ぼうとする外力が包装袋１００の表裏のシート１０１Ａ、１０１Ｂであって、保護枠１０の枠体１１が囲む物品囲い込み区画１１Ａの直上のシート１０１Ａの概ね中央に作用したとき、シート１０１Ａの中央まわりの周辺部が枠体１１の全周に渡る端面に支えられて突っ張ることにて外力の衝撃が吸収され、大きな外力が物品１に及ぶことを回避できる。
【００３４】
(b)保護枠１０の枠体１１は長尺材２０を環状に枠組することにより構成され、一定の座屈強度（枠体１１が外力により高さ方向にいくらか座屈することは、外力が物品１に及ばない座屈量であったり、外力がその座屈によって吸収され得る点で許容される）があれば足り、特殊な材料、特殊な構造からなるものでないから、簡易かつ低コストである。
【００３５】
(c)保護枠１０の枠体１１を構成する長尺材２０の使用量は、枠体１１となって物品１を囲い込みできる長さだけあれば足り、材料の使用量を低減し、使用後のゴミの量も低減できる。
【００３６】
(d)保護枠１０の枠体１１を構成する長尺材２０の一端に設けた糊付片２１を該長尺材２０の他端の外面に接合するとき、枠体１１の内面に突起がなく、囲い込みした物品１をキズつけることがない。
【００３７】
保護枠１０は、以下の如くに変形できる。
図４の変形例は、保護枠１０の枠体１１が、長尺材２０の一端に設けた糊付片２１を該長尺材２０の他端の内面に接合することにより、内貼り型による無端周回状の枠体１１とされたものである。
【００３８】
図５の変形例は、保護枠１０の枠体１１が、八角枠状の環状からなるものである。枠体１１は三角枠状を含む多角枠状の環状からなるものにすることができる。
【００３９】
図６の変形例は、保護枠１０の枠体１１が、円筒枠状の環状からなるものである。枠体１１は楕円筒枠状等の環状からなるものにすることもできる。
【００４０】
図７の変形例は、保護枠１０の枠体１１が、長尺材２０の長手方向の一端に設けた上向き開口の差し込みスリット２０Ａと、該長尺材２０の長手方向の他端に設けた下向き開口の差し込みスリット２０Ｂとを互いに差し込み接合され、無端周回状の環状をなしたものである。
【００４１】
（実施例２）（図８）
図８の保護枠１０が、図１〜図３の保護枠１０と異なる点は、枠体１１が複数の物品１のそれぞれを囲い込み可能にする２個（３個以上でも可）の区画１１Ａ、１１Ｂを備えたことにある。各区画１１Ａ、１１Ｂのそれぞれは、１個の物品１、又は２個以上の物品１をまとめて囲い込みできる。
【００４２】
図８の保護枠１０において、枠体１１を構成する長尺材２０の一端に設けた糊付片２１は該長尺材２０の区画１１Ａを画成する中間辺の外周に接着剤Ａにより接合されている。長尺材２０の他端は該長尺材２０の区画１１Ｂを画成する中間辺の内周に接着剤Ｂにより接合されても、接合されずに単に添設されても良い。
【００４３】
本実施例の保護枠１０によれば、複数の物品１の各個を同時に包装しながら、それらの各個を個別に保護できる。
【００４４】
（実施例３）(図９及び図１０)
図９及び図１０の保護枠５０が、図１〜図３の保護枠１０と異なる点は、枠体５１が矩形に形成され、枠体５１の角部５２から両周辺部に亘って長さ方向に延びる少なくとも１つの切込み５３が形成されていることにある。本実施例では、対角線上の２つの角部５２に切込みが形成されているが、総ての角部に切込みが形成されていても良い。
【００４５】
切込み５３を利用して角部５２内方に押し込むことで枠体５１内部に突出部５４を設けることができる。切込み５３の長さを調整することで、突出部５４の突出長さ（突出量）を変えることができる。
【００４６】
本実施例では角部５２において２本の切込み５３が形成されている。保護枠５０に収納する物品１に応じて切込み５３の数を選定することができる。また、本実施例では、高さ方向の中段位置に突出部５４を設けているが、図中、上段位置のみ、下段位置のみ、これらの組合せ位置に突出部５４を設けてもよい。
【００４７】
本実施例の保護枠５０は、ＣＤやＤＶＤのような円形の物品１に好適である。保護枠５０に収納される物品１に応じて切込み５３の長さを変え、突出部５４を物品１の周縁に当接させるようにする。これにより、突出部５４がない枠体１０に比べて物品１の周縁との接点が増加する。図１０中、黒点は物品１に接する箇所を表示している。保護枠１０であれば４点で物品１と接触するが、本実施例のように２か所の角部５２に突出部５４を設けた保護枠５０であれば６点で物品１と接触する。総ての角部５２に突出部５４を設けた実施形態では８点で物品１と接触する。保護枠５０は総ての接点で物品１に接触することはないにしても、接点は増えるであろうと考えられるので、物品１を固定することに好適であり、物品１の周縁に作用する応力を低減させることができる。また、突出部５４はクッション機能を有するので、衝撃によって応力が集中しやすい物品１の周縁の損傷を防止する効果もある。
【００４８】
（実施例４）(図１１及び図１２)
図１１及び図１２の保護枠６０が、図１〜図３の保護枠１０と異なる点は、枠体６１が矩形に形成され、枠体６１の角部６２から両周辺部に亘って長さ方向に延びる複数の切込み６３が形成されていることにある。本実施例では、対角線上の２つの角部６２に切込みが形成されているが、総ての角部に切込みが形成されていても良い。
【００４９】
切込み６３を利用して角部６２内方に押し込むことで枠体内部に突出部６４を設けることができる。切込み６３の長さを調整することで、突出部６４の突出長さ（突出量）を変えることができる。また、切込み６３の数は、図示された４本に限定されるものではない。
【００５０】
本実施例の保護枠６０は、矩形の物品１に好適である。切込み６３よって高さ方向に分割されたそれぞれの角部６２は内方に向かって変位可能である。保護枠６０と厚みが異ならない物品１では、保護枠６０内で物品１が揺れ踊ることは少ない。しかし、保護枠６０と厚みが異なる物品１、特に、薄い物品１は保護枠６０内で変位するので、輸送中には物品１に衝撃が生じやすい。
【００５１】
本実施例は、角部６２から両周辺部に亘って長さ方向に延びる複数の切込み６３が形成されており、物品１の厚みに応じて突出部６４を物品１の上面（又は下面）に当接させることができるので、物品１は突出部６４によって枠体６１の高さ方向変位することを抑制される。保護枠６０には様々な物品１が収納されるが、その物品１の厚みに応じて突出部６４を設けることにより、物品１を収納する高さ方向のスペースを自由に選定することができる。
【００５２】
（実施例５）（図１３〜図１５）
図１３は、サンドイッチ型の包装袋２００を用いたものである。包装袋２００は、表裏の紙又はプラスチック等からなる矩形状シート２０１Ａ、２０１Ｂからなる。物品１を囲い込み保持した保護枠１０の枠体１１を裏シート２０１Ｂの概ね中央に配置し（図１４）、この裏シート２０１Ｂの上に表シート２０１Ａを被せてそれらのシート２０１Ａ、２０１Ｂの間に当該枠体１１を挟み込み、表シート２０１Ａの感圧接着剤等を付された内面の外周部を裏シート２０１Ｂの感圧接着剤等を付された内面の保護枠１０を囲んでいる外周部に接合して封着することにより、物品１と保護枠１０を包装袋２００に収納するものである。このとき、包装袋２００の表裏のシート２０１Ａ、２０１Ｂに挟まれる保護枠１０の枠体１１の高さｔ0は、枠体１１に囲い込まれる物品１の厚みｔ1より大きく設定されている。
【００５３】
また、本実施例では、包装袋２００の表裏のシート２０１Ａ、２０１Ｂが、図１４に示す如く、多数条の突条部２０２Ａを等間隔配置した内側材２０２を外側ライナーに貼り合わせた段ボールからなり、各突条部２０２Ａを湾曲波形状にしている（各突条部２０２Ａはストレート状でも可）。そして、図１５に示す如く、包装袋２００の表裏のシート２０１Ａ、２０１Ｂに接する保護枠１０の枠体１１の高さ方向の端面、本実施例では四角枠状の枠体１１の相対する２つの縦辺の端面に、凹凸状係止部１２を備える。保護枠１０の枠体１１が包装袋２００の表裏のシート２０１Ａ、２０１Ｂの間に挟み込まれた状態で、枠体１１の係止部１２が包装袋２００のそれらのシート２０１Ａ、２０１Ｂの内側材２０２の相隣る突条部２０２Ａが形成している凹凸部に係止し、包装袋２００の表裏のシート２０１Ａ、２０１Ｂに対する保護枠１０の移動ずれを防止するものとしている。
【００５４】
本実施例の保護枠１０によれば、包装袋２００の表裏のシート２０１Ａ、２０１Ｂに対する保護枠１０の移動ずれを防止し、包装袋２００の表裏のシート２０１Ａ、２０１Ｂの概ね中央に保護枠１０を位置付け、該保護枠１０により物品１を安定的に保護できる。
【００５５】
尚、保護枠１０は、四角枠状の枠体１１の２つの縦辺だけでなく、枠体１１の他の２つの横辺に、上述の凹凸状係止部１２を備えるものでも良い。保護枠１０の枠体１１の縦横の凹凸状係止部１２が、包装袋２００の表裏のシート２０１Ａ、２０１Ｂの内側材２０２に設けた縦横の突条部２０２Ａ等が形成する凹凸部に係止するものとすれば、包装袋２００の表裏のシート２０１Ａ、２０１Ｂに対する保護枠１０の移動ずれを縦横両方向で防止できる。
【００５６】
図１６は、本発明の保護枠１０を用いた包装袋１００又は２００が落下したときの、該保護枠１０による緩衝効果を示すものである。
【００５７】
即ち、化粧剤用ビン等の物品１と保護枠１０を収納した例えば包装袋１００が空中を落下する過程で、保護枠１０の枠体１１は包装袋１００の表裏のシート１０１Ａ、１０１Ｂの間に挟み込み保持され、それらのシート１０１Ａ、１０１Ｂとのフリクションや引っ掛かりにより、それらのシート１０１Ａ、１０１Ｂの概ね中央に位置付けられ、図１６に示す如く、包装袋１００の鉛直下方に向けて落下中の底部との間に一定の空間Ｋを介する。従って、物品１が重力の作用で包装袋１０の四角枠状の枠体１１の下辺の上に載った図１６の状態で、包装袋１００の底部が地上に落下しても、落下の反力は上述の空間Ｋの存在により包装袋１０の底部、ひいては物品１に及び難く、緩衝されるものになる。
【００５８】
また、保護枠１０の枠体１１が包装袋２００の表裏のシート２０１Ａ、２０１Ｂの間に挟み込み保持され、包装袋２００の表裏のシート２０１Ａ、２０１Ｂに対する保護枠１０の移動ずれが前述の如くに防止可能にされている場合には、包装袋２００の落下過程で、保護枠１０の枠体１１の凹凸状係止部１２がそれらのシート２０１Ａ、２０１Ｂの内側材２０２の突条部２０２Ａ等が形成する凹凸部に係止する。これにより、保護枠１０の枠体１１は包装袋２００の底部との間に上述の空間Ｋを確実に介する。このとき、包装袋２００の表裏のシート２０１Ａ、２０１Ｂに挟み込み保持した保護枠１０による物品１の緩衝効果は一層顕著になる。
【００５９】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００６０】
本発明は、包装袋に収納される物品を保護する包装用保護枠であって、包装袋の表裏のシートに挟まれるとともに、物品を囲い込み可能にする環状の枠体からなり、包装袋の表裏のシートに挟まれる枠体の高さが、該枠体に囲い込まれる物品の厚みより大きく設定されてなるものにした。これにより、包装袋に収納される物品を簡易かつ低コストに作成できる保護枠により保護し、材料の使用量を低減し、使用後のゴミの量も低減することができる。また、本発明は、包装袋に収納される物品に作用する応力や衝撃を低減することにある。
【符号の説明】
【００６１】
１  物品
１０、５０、６０  保護枠
１１、５１、６２  枠体
１１Ａ、１１Ｂ  区画
１２  凹凸状係止部
２０  長尺材
２１  糊付片
１００  包装袋
１０１Ａ、１０１Ｂ  表裏のシート
２００  包装袋
２０１Ａ、２０１Ｂ  表裏のシート
２０２Ａ  突条部
【図１】
2013184715.tif 000003
【図２】
2013184715.tif 000004
【図３】
2013184715.tif 000005
【図４】
2013184715.tif 000006
【図５】
2013184715.tif 000007
【図６】
2013184715.tif 000008
【図７】
2013184715.tif 000009
【図８】
2013184715.tif 000010
【図９】
2013184715.tif 000011
【図１０】
2013184715.tif 000012
【図１１】
2013184715.tif 000013
【図１２】
2013184715.tif 000014
【図１３】
2013184715.tif 000015
【図１４】
2013184715.tif 000016
【図１５】
2013184715.tif 000017
【図１６】
2013184715.tif 000018